(57)【要約】【課題】特定銘柄の株価や出来高をさらに予想し易くなす株式投資支援プログラムを提供する。【解決手段】コンピュータを、表示部に表示されたメニュー画面上の予想値入力ボタンの入り操作により未来の特定日の予想株価及び予想出来高についてのデータ入力画面を表示部に表示するものとした第５手段、該第５手段のデータ入力画面から入力されたデータに基づいて未来の特定日にまで及ぶ株価関連チャート情報を作成させるものとした第６手段、及び、前記株価関連チャート情報に基づいて特定銘柄に係る株価関連チャート画面１５０を表示部に表示するものとした第４手段として機能させるプログラムである。【選択図】図４
2005141354.tif 000002
【特許請求の範囲】
【請求項１】
コンピュータを次の各手段として機能させるためのプログラムであり、即ち、前記各手段は、銘柄記入欄、チャート化最終日入力欄、データ入力ボタン、グラフ表示ボタン、予想値入力ボタンを配置されたメニュー画面を表示部に表示するものとした第１手段と、使用者による前記データ入力ボタンの入り操作により特定銘柄の日単位の始値、高値、安値、終値及び出来高についてのデータ入力画面を表示部に表示するものとした第２手段と、該第２手段のデータ入力画面から使用者により入力されたデータに基づいて前記チャート化最終日までの株価関連チャート情報を作成するものとした第３手段と、使用者による前記グラフ表示ボタンの入り操作により該第３手段の作成した情報に基づいて株価関連チャート画面を表示部に表示するものとした第４手段と、使用者による前記予想値入力ボタンの入り操作により未来の特定日の予想株価及び予想出来高についてのデータ入力画面を表示部に表示するものとした第５手段と、該第５手段のデータ入力画面から使用者により入力されたデータに基づいて未来の特定日にまで及ぶ前記株価関連チャート情報を前記第３手段に作成させるものとした第６手段とからなっていることを特徴とする株式投資支援プログラム。
【請求項２】
コンピュータを次の各手段として機能させるためのプログラムであり、即ち、前記各手段は、銘柄記入欄、チャート化最終日入力欄、データ入力ボタン、グラフ表示ボタン、予想値入力ボタンを配置されたメニュー画面を表示部に表示するものとした第１手段と、使用者による前記データ入力ボタンの入り操作により特定銘柄の日単位の始値、高値、安値、終値及び出来高についてのデータ入力画面を表示部に表示するものとした第２手段と、該第２手段のデータ入力画面から使用者により入力されたデータに基づいて前記チャート化最終日までの、ＲＳＩチャート情報、逆ウオッチチャート情報、日足チャート情報、週足チャート情報及び終値＆かい離率チャート情報を作成するものとした第３手段と、使用者による前記グラフ表示ボタンの入り操作により該第３手段の作成した情報に基づいてＲＳＩチャート画面、逆ウオッチチャート画面、日足チャート画面、週足チャート画面及び終値＆かい離率チャート画面のうちの任意なものを表示部に表示するものとした第４手段と、使用者による前記予想値入力ボタンの入り操作により未来の特定日の予想株価及び予想出来高についてのデータ入力画面を表示部に表示するものとした第５手段と、該第５手段のデータ入力画面から使用者により入力されたデータに基づいて未来の特定日にまで及ぶ前記ＲＳＩチャート情報及び前記逆ウオッチチャート情報を前記第３手段に作成させるものとした第６手段とからなっていることを特徴とする株式投資支援プログラム。
【請求項３】
コンピュータを次の各手段として機能させるためのプログラムであり、即ち、前記各手段は、銘柄記入欄、チャート化最終日入力欄、データ取得ボタン、データ入力ボタン、データ表示ボタン、グラフ表示ボタン、ＲＳＩシミュレーションボタンの配置されたメニュー画面を表示部に表示するものとした第１手段と、使用者による前記データ取得ボタンの入り操作によりインターネット上から特定銘柄の日単位の始値、高値、安値、終値及び出来高についてのデータを取得するものとした第７手段と、使用者による前記データ入力ボタンの入り操作によりデータ入力画面を表示部に表示し且つ該データ入力画面から使用者が特定銘柄の日単位の始値、高値、安値、終値及び出来高についてのデータを入力できるものとした第２手段と、使用者による前記データ表示ボタンの入り操作により前記第７手段により取得されたデータ及び前記第２手段のデータ入力画面から使用者により入力されたデータを表示部に表示するほか表示されたデータの使用者による修正のための入力や未来の特定日の予想データの使用者による追加のための入力が行えるものとした第８手段と、前記第７手段及び前記該第２手段及び前記第８手段により使用者の入力したデータに基づいて前記チャート化最終日までの株価関連チャート情報、及び、ＲＳＩのシミュレーション値情報を作成するものとした第３手段と、使用者による前記グラフ表示ボタンの入り操作により該第３手段の作成した情報に基づいて株価関連チャート画面を表示部に表示させるものとした第４手段と、使用者による前記ＲＳＩシミュレーションボタンの入り操作により翌営業日の終値を変化させたときのＲＳＩのシミュレーション値画面を表示部に表示させるものとした第９手段とからなっていることを特徴とする株式投資支援プログラム。
【請求項４】
コンピュータを次の各手段として機能させるためのプログラムであり、即ち、前記各手段は、銘柄記入欄、チャート化最終日入力欄、データ取得ボタン、データ入力ボタン、データ表示ボタン、グラフ表示ボタン、ＲＳＩシミュレーションボタンの配置されたメニュー画面を表示部に表示するものとした第１手段と、使用者による前記データ取得ボタンの入り操作によりインターネット上から特定銘柄の日単位の始値、高値、安値、終値及び出来高についてのデータを取得するものとした第７手段と、使用者による前記データ入力ボタンの入り操作によりデータ入力画面を表示部に表示し且つ該データ入力画面から使用者が特定銘柄の日単位の始値、高値、安値、終値及び出来高についてのデータを入力できるものとした第２手段と、使用者による前記データ表示ボタンの入り操作により前記第７手段により取得されたデータ及び前記第２手段のデータ入力画面から使用者により入力されたデータを表示部に表示するほか表示されたデータの使用者による修正のための入力や未来の特定日の予想データの使用者による追加のための入力が行えるものとした第８手段と、前記第７手段及び前記該第２手段及び前記第８手段により使用者の入力したデータに基づいて前記チャート化最終日までの、ＲＳＩチャート情報、逆ウオッチチャート情報、日足チャート情報、週足チャート情報、終値＆かい離率チャート情報、及び、ＲＳＩのシミュレーション値情報を作成するものとした第３手段と、使用者による前記グラフ表示ボタンの入り操作により該第３手段の作成した情報に基づいてＲＳＩチャート画面、逆ウオッチチャート画面、日足チャート画面、週足チャート画面及び終値＆かい離率チャート画面のうちの任意なものを表示部に表示させるものとした第４手段と、使用者による前記ＲＳＩシミュレーションボタンの入り操作により翌営業日の終値を変化させたときのＲＳＩのシミュレーション値画面を表示部に表示させるものとした第９手段とからなっていることを特徴とする株式投資支援プログラム。
【請求項５】
コンピュータを次の各手段として機能させるためのプログラムであり、即ち、前記各手段は、銘柄記入欄、チャート化最終日入力欄、データ取得ボタン、データ入力ボタン、データ表示ボタン、グラフ表示ボタン、ＲＳＩシミュレーションボタンを配置されたメニュー画面を表示部に表示するものとした第１手段と、使用者による前記データ取得ボタンの入り操作によりインターネット上から特定銘柄の日単位の始値、高値、安値、終値及び出来高についてのデータを取得するものとした第７手段と、使用者による前記データ入力ボタンの入り操作によりデータ入力画面を表示部に表示し且つ該データ入力画面から使用者が特定銘柄の日単位の始値、高値、安値、終値及び出来高についてのデータを入力できるものとした第２手段と、使用者による前記データ表示ボタンの入り操作により前記第７手段の取得したデータ及び前記第２手段で入力されたデータを表示部に表示するほか表示されたデータの使用者による修正のための入力や未来の特定日の予想データの使用者による追加のための入力が行えるものとした第８手段と、前記第７手段及び前記該第２手段及び前記第８手段により使用者の入力したデータに基づいて前記チャート化最終日までの株価関連チャート情報、及び、ＲＳＩのシミュレーション値情報を作成するものとした第３手段と、使用者による前記グラフ表示ボタンの入り操作により該第３手段の作成した情報に基づいて株価関連チャート画面を表示部に表示するものとした第４手段と、使用者による前記ＲＳＩシミュレーションボタンの入り操作により翌営業日の終値を変化させたときのＲＳＩのシミュレーション値画面を表示部に表示するものとした第９手段とからなっていることを特徴とする株式投資支援プログラム。
【請求項６】
コンピュータを次の各手段として機能させるためのプログラムであり、即ち、前記各手段は、銘柄記入欄、チャート化最終日入力欄、データ取得ボタン、データ入力ボタン、データ表示ボタン、グラフ表示ボタン、ＲＳＩシミュレーションボタンを配置されたメニュー画面を表示部に表示するものとした第１手段と、使用者による前記データ取得ボタンの入り操作によりインターネット上から特定銘柄の日単位の始値、高値、安値、終値及び出来高についてのデータを取得するものとした第７手段と、使用者による前記データ入力ボタンの入り操作によりデータ入力画面を表示部に表示し且つ該データ入力画面から使用者が特定銘柄の日単位の始値、高値、安値、終値及び出来高についてのデータを入力できるものとした第２手段と、使用者による前記データ表示ボタンの入り操作により前記第７手段の取得したデータ及び前記第２手段で入力されたデータを表示部に表示するほか表示されたデータの使用者による修正のための入力や未来の特定日の予想データの使用者による追加のための入力が行えるものとした第８手段と、前記第７手段及び前記該第２手段及び前記第８手段により使用者の入力したデータに基づいて前記チャート化最終日までの、ＲＳＩチャート情報、逆ウオッチチャート情報、日足チャート及びＭＡＣＤチャート情報、週足チャート及びＭＡＣＤチャート情報、終値＆かい離率チャート情報、及び、ＲＳＩのシミュレーション値情報を作成するものとした第３手段と、使用者による前記グラフ表示ボタンの入り操作により該第３手段の作成した情報に基づいてＲＳＩチャート画面、逆ウオッチチャート画面、日足チャート画面、日足チャート＆ＭＡＣＤチャート画面、週足チャート画面、週足チャート＆ＭＡＣＤチャート画面、及び、終値＆かい離率チャート画面のうちの任意なものを表示部に表示するものとした第４手段と、使用者による前記ＲＳＩシミュレーションボタンの入り操作により翌営業日の終値を変化させたときのＲＳＩのシミュレーション値画面を表示部に表示するものとした第９手段とからなっていることを特徴とする株式投資支援プログラム。
【請求項７】
コンピュータを、使用者による表示指令の入力により表示部に表示される株価関連情報の読み方についての説明画面を表示部に表示する第１０手段として機能させることを特徴とする請求項１〜７の何れかに記載の株式投資支援プログラム。
【発明の詳細な説明】
【技術分野】
【０００１】
本発明は、コンピュータを作動させるための株式投資支援プログラムに関する。
【背景技術】
【０００２】
株式投資を効率的に行えるようにするためのソフトは種々開発されており、一般の投資家がインターネット上における証券会社のホームページで利用できるようになされている。
なお、先行する提案としては、例えば特許文献１に示すようなものがある。
【０００３】
【特許文献１】特開２０００−９０１５０号公報
【発明の開示】
【発明が解決しようとする課題】
【０００４】
本発明は、特定銘柄の株価や出来高をさらに予想し易くなした株式投資支援プログラムを提供することを目的とする。
【課題を解決するための手段】
【０００５】
上記目的を達成するため、本願の第１の発明は、請求項１及び２に記載したように、コンピュータを次の各手段として機能させるためのプログラムであり、即ち、前記各手段は、銘柄記入欄、チャート化最終日入力欄、データ入力ボタン、グラフ表示ボタン、予想値入力ボタンを配置されたメニュー画面を表示部に表示するものとした第１手段と、使用者による前記データ入力ボタンの入り操作により特定銘柄の日単位の始値、高値、安値、終値及び出来高についてのデータ入力画面を表示部に表示するものとした第２手段と、該第２手段のデータ入力画面から使用者により入力されたデータに基づいて前記チャート化最終日までの株価関連チャート情報（ＲＳＩチャート情報、逆ウオッチチャート情報、日足チャート情報、週足チャート情報及び終値＆かい離率チャート情報）を作成するものとした第３手段と、使用者による前記グラフ表示ボタンの入り操作により該第３手段の作成した情報に基づいて株価関連チャート画面（ＲＳＩチャート画面、逆ウオッチチャート画面、日足チャート画面、週足チャート画面及び終値＆かい離率チャート画面のうちの任意なもの）を表示部に表示するものとした第４手段と、使用者による前記予想値入力ボタンの入り操作により未来の特定日の予想株価及び予想出来高についてのデータ入力画面を表示部に表示するものとした第５手段と、該第５手段のデータ入力画面から使用者により入力されたデータに基づいて未来の特定日にまで及ぶ株価関連チャート情報（前記ＲＳＩチャート情報及び前記逆ウオッチチャート情報など）を前記第３手段に作成させるものとした第６手段とからなっている。
【０００６】
また第２の発明は、請求項３及び４に記載したように、コンピュータを次の各手段として機能させるためのプログラムであり、即ち、前記各手段は、銘柄記入欄、チャート化最終日入力欄、データ取得ボタン、データ入力ボタン、データ表示ボタン、グラフ表示ボタン、ＲＳＩシミュレーションボタンの配置されたメニュー画面を表示部に表示するものとした第１手段と、使用者による前記データ取得ボタンの入り操作によりインターネット上から特定銘柄の日単位の始値、高値、安値、終値及び出来高についてのデータを取得するものとした第７手段と、使用者による前記データ入力ボタンの入り操作によりデータ入力画面を表示部に表示し且つ該データ入力画面から使用者が特定銘柄の日単位の始値、高値、安値、終値及び出来高についてのデータを入力できるものとした第２手段と、使用者による前記データ表示ボタンの入り操作により前記第７手段により取得されたデータ及び前記第２手段のデータ入力画面から使用者により入力されたデータを表示部に表示するほか表示されたデータの使用者による修正のための入力や未来の特定日の予想データの使用者による追加のための入力が行えるものとした第８手段と、前記第７手段及び前記該第２手段及び前記第８手段により使用者の入力したデータに基づいて前記チャート化最終日までの株価関連チャート情報（ＲＳＩチャート情報、逆ウオッチチャート情報、日足チャート情報、週足チャート情報及び終値＆かい離率チャート情報）、及び、ＲＳＩのシミュレーション値情報を作成するものとした第３手段と、使用者による前記グラフ表示ボタンの入り操作により該第３手段の作成した情報に基づいて株価関連チャート画面（ＲＳＩチャート画面、逆ウオッチチャート画面、日足チャート画面、週足チャート画面及び終値＆かい離率チャート画面のうちの任意なもの）を表示部に表示させるものとした第４手段と、使用者による前記ＲＳＩシミュレーションボタンの入り操作により翌営業日の終値を変化させたときのＲＳＩのシミュレーション値画面を表示部に表示させるものとした第９手段とからなっている。
【０００７】
さらに第３の発明は、請求項５及び６に記載したように、コンピュータを次の各手段として機能させるためのプログラムであり、即ち、前記各手段は、銘柄記入欄、チャート化最終日入力欄、データ取得ボタン、データ入力ボタン、データ表示ボタン、グラフ表示ボタン、ＲＳＩシミュレーションボタンを配置されたメニュー画面を表示部に表示するものとした第１手段と、使用者による前記データ取得ボタンの入り操作によりインターネット上から特定銘柄の日単位の始値、高値、安値、終値及び出来高についてのデータを取得するものとした第７手段と、使用者による前記データ入力ボタンの入り操作によりデータ入力画面を表示部に表示し且つ該データ入力画面から使用者が特定銘柄の日単位の始値、高値、安値、終値及び出来高についてのデータを入力できるものとした第２手段と、使用者による前記データ表示ボタンの入り操作により前記第７手段の取得したデータ及び前記第２手段で入力されたデータを表示部に表示するほか表示されたデータの使用者による修正のための入力や未来の特定日の予想データの使用者による追加のための入力が行えるものとした第８手段と、前記第７手段及び前記該第２手段及び前記第８手段により使用者の入力したデータに基づいて前記チャート化最終日までの株価関連チャート情報（ＲＳＩチャート情報、逆ウオッチチャート情報、日足チャート＆ＭＡＣＤチャート情報、週足チャート＆ＭＡＣＤチャート情報、及び、終値＆かい離率チャート情報）、及び、ＲＳＩのシミュレーション値情報を作成するものとした第３手段と、使用者による前記グラフ表示ボタンの入り操作により該第３手段の作成した情報に基づいて株価関連チャート画面（ＲＳＩチャート画面、逆ウオッチチャート画面、日足チャート画面、日足チャート＆ＭＡＣＤチャート画面、週足チャート画面、週足チャート＆ＭＡＣＤチャート画面、及び、終値＆かい離率チャート画面のうちの任意なもの）を表示部に表示するものとした第４手段と、使用者による前記ＲＳＩシミュレーションボタンの入り操作により翌営業日の終値を変化させたときのＲＳＩのシミュレーション値画面を表示部に表示するものとした第９手段とからなっている。
さらに請求項７に記載したように、上記各発明において、コンピュータを、使用者による表示指令の入力により表示部に表示される株価関連情報の読み方についての説明画面を表示部に表示する第１０手段として機能させる構成となすのがよい。
【発明の効果】
【０００８】
上記した本発明によれば次のような効果が得られる。
即ち、請求項１又は２記載のものによれば、銘柄記入欄に記入された特定銘柄を見ることにより、メニュー画面が特定銘柄についてのものであることを直ちに認識することができるようになり、また使用者が第２手段で表示されたデータ入力画面から特定銘柄の日単位の始値、高値、安値、終値及び出来高を入力するように使用することにより、日々の株価や出来高の変動を強く明確に認識することができるようになり、またグラフ表示ボタンの操作により、特定銘柄についての株価関連チャート画面（ＲＳＩチャート画面、逆ウオッチチャート画面、日足チャート画面、週足チャート画面、及び、終値＆かい離率チャート画面のうちの任意なもの）を表示部に表示させることができて、これらのグラフから未来の株価や出来高を予想することができ、また第５手段や第６手段により予想株価や予想出来高を使用した株価関連チャート情報であるＲＳＩチャート情報及び逆ウオッチチャート情報などを作成させてこれに基づくＲＳＩチャート及び逆ウオッチチャートなどを第４手段により表示部に表示させることができ、これにより未来の予想株価や予想出来高が適切であるか否かを表示部上にて図形的に判別することができるようなり、特定銘柄の株価や出来高を従来に増して予想し易くなすことができるのである。
【０００９】
請求項３又は４記載のものによれば、請求項１記載の発明と同様に、銘柄記入欄に記入された特定銘柄を見ることにより、メニュー画面が特定銘柄についてのものであることを直ちに認識することができるようになり、また使用者が第２手段で表示されたデータ入力画面から特定銘柄の日単位の始値、高値、安値、終値及び出来高を入力するように使用することにより、日々の株価や出来高の変動を強く明確に認識することができるようになり、またグラフ表示ボタンの操作により、特定銘柄についての株価関連チャート画面であるＲＳＩチャート画面、逆ウオッチチャート画面、日足チャート画面、週足チャート画面、及び、終値＆かい離率チャート画面のうちの任意なものを表示部に表示させることができて、これらのグラフから未来の株価や出来高を予想することができる上に、さらに次のような効果が得られる。
【００１０】
即ち、第７手段により特定銘柄の日単位の始値、高値、安値、終値及び出来高についてのデータをインターネット上から簡易に取得することができるようになり、また第９手段により証券市場の翌営業日の特定銘柄の予想終値を変化させたときのＲＳＩのシミュレーション値を表示部に表示させることができるようになり、また前記第８手段により入力された予想データ（予想株価や予想出来高）に基づいて前記チャート化最終日（未来の日であってもよい）までの株価関連チャート画面であるＲＳＩチャート画面、逆ウオッチチャート画面、日足チャート画面、週足チャート画面、及び、終値＆かい離率チャート画面を表示部に表示させることができるのであり、したがって未来の予想株価や予想出来高が適切であるか否かを手間少なく、しかもＲＳＩのシミュレーション値をも参考にしながら判別することができるようなり、特定銘柄の株価や出来高を従来に増して予想し易くなすことができるのである。
【００１１】
請求項５又は６記載のものによれば、請求項３記載の発明と同様な効果が得られる上に次のような効果が得られるのであって、即ち、日足チャート＆ＭＡＣＤチャート画面、又は、週足チャート＆ＭＡＣＤチャート画面を表示部に表示させてＭＡＣＤチャートに基づく情報をも得ることができ、これにより特定銘柄の株価や出来高の予想をさらに容易となすことができるのである。
【発明を実施するための最良の形態】
【００１２】
＜Ａ＞  先ず本発明に係る株式投資支援プログラムの第１実施例について説明する。
該株式投資支援プログラムはコンピュータを第１手段〜第６手段までの手段として機能させるものとなされている。
【００１３】
各手段について説明すると、第１手段は上記株式投資支援プログラムの記録されているＣＤなどの記録媒体をパソコンが読み込むことに関連して、図１に示すようなメニュー画面１００をその表示部に表示するものである。
【００１４】
該メニュー画面１００は各処理への分岐とチャート作成期間（チャート化最終日）をコントロールするものであり、次のようなものとなされている。
銘柄記入欄（銘柄コード記入欄及び銘柄記入欄）１０１及びチャート化最終日入力欄１０２が画面上部に配置され、またデータ入力ボタン１０３、グラフ表示ボタン１０４、１０５、１０６、１０７、１０８及び予想値入力ボタン１０９が最左部縦方向と最上部横方向へ配置されて表示されている。
【００１５】
該メニュー画面１００上において、使用者は銘柄名記入欄に株式売買を予定している特定会社名を、そして銘柄コード記入欄に銘柄コード番号をパソコンの入力装置（キーボード）から入力する。
【００１６】
使用者がチャート化最終日入力欄１０２にキーボードからチャート化最終日を入力した後、各ボタン１０３〜１０９はマウス操作（マウスポインタを各ボタン１０３〜１０９上に位置させてマウスをクリックする）により操作されるものである。
【００１７】
チャート化最終日はキーボードから例えば「平成１４年８月１日」と入力してもよいし、或いはメニュー画面上の「カレンダーを表示します。」という文字列個所をマウス操作で入り操作した後、カレンダー日付「８／１」という文字を入力しても同様の結果が得られるようにしてある。
チャート化最終日入力欄１０２に過去の日付を入力することも差し支えない。この場合、後述するように各種チャート画面において該日付に関連した過去の情報を参照することが可能となる。
チャート化最終日入力欄１０２に未来の日付を入力することも差し支えない。この場合、後述されるように、各種チャート画面において前記未来の日付にまで及ぶ各種チャートが表示される。
【００１８】
１１０は印刷ボタンであって、マウスによる入り操作により表示部に表示された画面の印刷プレビュー画面を表示させるものであり、
１１１はズーム７０％ボタンであって、マウスによる入り操作により表示部に表示された画面表示を７０％縮小で表示させるものであり、
１１２はズーム１００％ボタンであって、マウスによる入り操作により表示部に表示された画面表示を１００％で表示させるものであり、
１１３は終了ボタンであって、マウスによる入り操作によりプログラムを終了させるものである。
【００１９】
第２手段は使用者による前記データ入力ボタン１０３の入り操作により図２に示すようなデータ入力画面１２０を前記表示部に表示するものである。
該データ入力画面１２０は手持ちの株がある場合にその情報を入力すると共に毎日の株価データを入力するためのもので、次のようなものとなされている。
【００２０】
上部範囲に持ち株情報入力欄１２１が表示され、下部範囲に株価情報登録欄１２２が表示されており、持ち株情報入力欄１２１には購入年月日入力欄１２３、買い値入力欄１２４、買入株数入力欄１２５、購入額入力欄１２６、手数料入力欄１２７、税金他入力欄１２８や、登録した終値で計算された評価額から購入額及び手数料及び税金他を減算した額（購入額との差額）の表示欄１２９が配置されており、一方、株価情報登録欄１２２には前日の株価情報の表示欄１３０と、当日の株価情報としての日入力欄１３１、始値入力欄１３２、高値入力欄１３３、安値入力欄１３４、終値入力欄１３５及び出来高入力欄１３６からなる株価情報入力欄１３７とが配置されている。
【００２１】
使用者は自身の手持ちの株がある場合、持ち株情報入力欄１２１にキーボードから入力するのであり、また今後購入予定の場合は「買い値」と「買入株数」の入力欄１２４、１２５に予想値を入力するのであり、また「手数料」「税金他」の入力欄１２７、１２８は明確でなければ目安で入力して差し支えないものである。この際、不明な場合は空欄としても差し支えないのであり、また「登録した終値での評価額」は株価情報入力欄１３７の終値入力欄１３５に終値を入力した時点で表示される。
【００２２】
使用者はキーボードから日々の株価情報を株価情報入力欄１２２に入力する。各入力欄１３１〜１３６の人力後は全て「Ｅｎｔｅｒ」キーを押し操作する。全ての入力欄１３１〜１３６に入力した後はデータ入力画面１２０に表示されたＯＫボタン１３８がマウス操作により入り操作されるのであり、これにより図３に示すデータ入力／表示画面１４１が表示部に表示される。
【００２３】
図２中、１３９はデータ表示ボタンであってマウス操作による入り操作により図３に示すデータ入力／表示画面１４１を表示部に表示させるものであり、今までに入力した情報を確認する場合に使用される。
ＯＫボタン１３８はマウス操作による入り操作により入力した株価情報を確定するもので株価情報入力後は必ず入り操作されるものである。
１４０はメニューボタンであってマウス操作による入り操作により表示部にメニュー画面１００を表示させるものである。以後の各画面に表示されるメニューボタン１４０は何れも同様に機能する。
【００２４】
日入力欄１３１への入力については今年の日付であれば「月／日」で入力可能であり、例えば今年が平成１５年の場合で平成１５年８月１日であれば「８／１」と入力すればよいのであり、また今年以外の日付入力時には西暦または和暦で年を指定して入力するのであり、例えば株式購入年月日が平成１３年１０月１目だった場合「Ｈ１３／１０／ｌ」または「２００１／１０／ｌ」と入力するのである。このような日付入力操作は他の日付入力欄のすべてに共通である。
【００２５】
図３に示すデータ入力／表示画面１４１は既述したようにデータ入力画面１２０のＯＫボタン１３８又はデータ表示ボタン１３９をマウス操作により入り操作したときに表示されるもので、次のようなものとなされている。
日表示欄１４２、始値表示欄１４３、高値表示欄１４４、安値表示欄１４５、終値表示欄１４６、出来高表示欄１４７、評価額表示欄１４８、及び、購入額の差額表示欄１４９が横方向に配列されていて、各欄にはデータ入力画面１２０から入力されたデータが表示されている。即ち、日表示欄１４２には日入力欄１３１から入力された日付が縦方向へ日付順に連続して表示され、各日付と同一行の始値表示欄１４３、高値表示欄１４４、安値表示欄１４５、終値表示欄１４６及び出来高表示欄１４７には始値入力欄１３２、高値入力欄１３３、安値入力欄１３４、終値入力欄１３５及び出来高入力欄１３６から入力された対応日の始値、高値、安値、終値、出来高がそれぞれに対応して表示され、また持ち株情報入力欄１２１で入力された持ち株についての、対応日の終値で計算された評価額が、その終値と同一行の評価額表示欄１４８に表示され、また該評価額と購入額との差額が該評価額と同一行の購入額との差額表示欄１４９に表示される。本発明品では使用開始時に例えば過去３００日分程度のデータが予め入力されていてデータ入力／表示画面１４１のデータとして表示される。使用開始以後のデータは使用者がデータ入力画面１２０から既述のように入力するのである。
【００２６】
該データ入力／表示画面１４１上からも該画面１４１中の各データの修正や新規なデータの登録は可能であり、既に登録されているデータを修正する場合は、修正すべきデータ表示個所にマウスポインタを位置させてマウスのクリック操作とキーボードのキー操作とによりデータを修正するのであり、また新規な情報の登録を行う場合は、登録すべき空欄個所にマウスポインタを位置させてマウスのクリック操作とキーボードのキー操作により新規なデータを入力するのである。
【００２７】
第３手段は、第２手段のデータ入力画面１２０から入力されたデータに基づいて前記チャート化最終日入力欄１０２に入力されたチャート化最終日までの、ＲＳＩチャート情報、逆ウオッチチャート情報、日足チャート情報、週足チャート情報及び終値＆かい離率チャート情報を作成し且つこのように作成した情報をパソコンの記憶部に記憶させるものとなされている。
【００２８】
第４手段は、使用者による前記グラフ表示ボタン１０４、１０５、１０６、１０７、１０８の入り操作により該第３手段の作成した情報であるＲＳＩチャート情報、逆ウオッチチャート情報、日足チャート情報、週足チャート情報及び終値＆かい離率チャート情報に基づいてＲＳＩチャート画面、逆ウオッチチャート画面、日足チャート画面、週足チャート画面、及び、終値＆かい離率チャート画面のうちの任意なものを表示部に表示するものである。
【００２９】
グラフ表示ボタン１０４、１０５、１０６、１０７、１０８は、メニュー画面１００に示すように、ＲＳＩチャート表示ボタン１０４、逆ウオッチチャート表示ボタン１０５、日足チャート表示ボタン１０６、週足チャート表示ボタン１０７、及び、終値＆かい離率チャート表示ボタン１０８からなる５つのボタンからなっている。
【００３０】
そして、使用者がマウス操作によりＲＳＩチャート表示ボタン１０４を入り操作することにより、表示部に図４に示すようなＲＳＩチャート画面１５０が表示されるようになされている。
【００３１】
該ＲＳＩチャート画面１５０は次のようなものとなされている。即ち、該チャート画面１５０の左側部範囲に前記前記チャート化最終日よりも前の特定期間内の日付１５１及び該日付１５１に対応したＲＳＩパーセント値１５２及びかい離率パーセント値（２５日間終値移動平均値に対するもの１５３、７５日間終値移動平均値に対するもの１５４、２００日間終値移動平均値に対するもの１５５）を数字表示した表が表示されており、右上部範囲にＲＳＩチャート（横軸が日付、縦軸がＲＳＩパーセント値を表している）１５６が、そして右下部範囲にかい離率チャート（横軸が日付、縦軸がかい離率パーセント値を表している）１５７が表示されている。この際、ＲＳＩチャート１５６は８０％以上を水色で表示して水色範囲を売り時エリアとなし、また２０％以下を黄色で表示して黄色範囲を買い時エリアとなされ、ＲＳＩ線１５８が該当エリアに入った場合、メッセージ個所１５９に対応したメッセージを表示するようになされている。かい離率チャート１５７は２５日移動平均値に対するもの１６０、７５日移動平均値に対するもの１６１、２００日移動平均値に対するもの１６２を表示しており、ポイントとなるライン（±２．４％、±４．０％、±８．０％、±１０．０％）を超えた時点でメッセージ個所１５９に対応したメッセージを表示するようになされている。
【００３２】
該ＲＳＩチャート画面１５０中、１６３はデータ表示ボタンで、１６４はデータ消去ボタンであり、データ表示ボタン１６３をマウス操作により入り操作することで表示部に表示されているチャート画面１５０上の数値データを表示状態となし、またデータ消去ボタン１６４をマウス操作により入り操作することで前記チャート画面１５０上の数値データ表示のみを非表示状態になすように機能するものであり、数値データ表示が非表示状態となされると、チャート画面が見やすくなる。他の画面中のデータ表示ボタン１６３及びデータ消去ボタン１６４も同様に機能する。
【００３３】
また使用者がマウス操作により逆ウオッチチャート表示ボタン１０５を入り操作することにより、表示部に図５に示すような逆ウオッチチャート画面１７０が表示されるようになされている。
【００３４】
該逆ウオッチチャート画面１７０は次のようなものとなされている。即ち、該チャート画面１７０の左側部範囲に前記前記チャート化最終日よりも前の特定期間内の日付１７１及び該日付１７１に対応した１０日間終値移動平均株価１７２及び１０日間出来高移動平均値１７３を数字表示した表１７４が表示されており、右側部範囲に逆ウオッチチャート（横軸が出来高１０日間移動平均値、縦軸が１０日間移動平均株価平均株価を表している）１７５が表示されている。この際、逆ウオッチチャート１７５の横軸及び縦軸の目盛り（レンジ）はそれぞれに対応する数値情報の最大値、最小値を基に自動で変化するようになされており、また始点を三角印、終点（直近のデータ）を四角印で表示している。そして直近日の逆ウオッチ情報を示す四角印の終点とその前日情報に基づいて、メッセージ個所１７６に、例えば「株価は下落基調にありますが、出来高は上昇しています」などの現状を示すメッセージが表示されるようになされている。
【００３５】
また使用者がマウス操作により日足チャート表示ボタン１０６を入り操作することにより、表示部に図６に示すような日足チャート画面１８０が表示されるようになされている。
【００３６】
該日足チャート画面１８０は次のようなものとなされている。即ち、該チャート画面１８０の左側部範囲に前記前記チャート化最終日よりも前の特定期間内の日付１８１及び該日付１８１に対応した始値１８２、高値１８３、安値１８４及び終値１８５を数字表示した表１８６が表示されており、右側部範囲に日足チャート（横軸が日付、縦軸が株価を表している）１８７が表示されている。この際、日足チャート１８７の横軸及び縦軸の目盛り（レンジ）はそれぞれに対応する数値情報の最大値、最小値を基に自動で変化するようになされている。そして、日足チャート１８７には日別のローソク足１８８のほかに、２５日間終値移動平均株価線１８９、７０日間終値移動平均株価線１９０、２００日間終値移動平均株価線１９１が重ねて表示されており、また日足チャート１８７の横軸及び縦軸の目盛り（レンジ）はそれぞれに対応する数値情報の最大値、最小値を基に自動で変化するようになされている。
【００３７】
また使用者がマウス操作により週足チャート表示ボタン１０７を入り操作することにより、表示部に図７に示すような週足チャート画面２００が表示されるようになされている。
【００３８】
該週足チャート画面２００は次のようなものとなされている。即ち、該チャート画面２００の左側部範囲に前記前記チャート化最終日よりも前の特定期間内の一週間ごとの日付２０１及び該日付２０１に対応した一週間の始値２０２、高値２０３、安値２０４及び終値２０５を数字表示した表２０６が表示されており、右側部範囲に週足チャート（横軸が日付、縦軸が株価を表している）２０７が表示されている。この際、週足チャート２０７の横軸及び縦軸の目盛り（レンジ）はそれぞれに対応する数値情報の最大値、最小値を基に自動で変化するようになされている。そして、週足チャート２０７には週別のローソク足２０８のほかに、１３週期間終値移動平均株価線２０９、２６週期間終値移動平均株価線２１０が重ねて表示されており、また週足チャート２０７の横軸及び縦軸の目盛り（レンジ）はそれぞれに対応する数値情報の最大値、最小値を基に自動で変化するようになされている。該週足チャート２０７の利用においては、使用者は全体のトレンドを把握して、移動平均株価線２０９、２１０のゴールデンクロス、デッドクロスを確認したり、また該週足チャート２０７をパソコンの印刷装置により印刷してトレンドラインを引いて見て株価の予測などする。
【００３９】
また使用者がマウス操作により終値＆かい離率チャート表示ボタン１０８を入り操作することにより、表示部に図８に示すような終値＆かい離率チャート画面２１０が表示されるようになされている。
【００４０】
該終値＆かい離率チャート画面２１０は次のようなものとなされている。即ち、該チャート画面２１０の左側部範囲に前記前記チャート化最終日よりも前の特定期間内の日付２１１及び該日付２１１に対応した終値２１２及び値幅２１３並びにかい離率パーセント値（２５日間終値移動平均値に対するもの２１４、７５日間終値移動平均値に対するもの２１５、２００日間終値移動平均値に対するもの２１６）を数字表示した表２１７が表示されており、右上部範囲にかい離率チャート（横軸が日付、縦軸がかい離率パーセント値を表している）が、そして右下部範囲に終値チャート（横軸が日付、縦軸が終値を表している）２１８が表示されている。この際、かい離率チャート２１８は２５日間終値移動平均値に対するもの２１９、７５日間終値移動平均値に対するもの２２０、２００日間終値移動平均値に対するもの２２１を表示しており、終値チャート２２２は各日付の終値についてのもの２２３、２５日間移動平均値についてのもの２２４、７５日間移動平均値についてのもの２２５を表示している。
【００４１】
使用者は該終値＆かい離率チャート画面２１０において、終値２１２及び値幅２１３と、かい離率移動平均線２１９、２２０、２２１の関係をじっくり考慮することにより株価の予想が容易となるのである。さらに具体的には、全ての値が「引値」により計算されているため、あえて計算せずに、終値２１２のみでチャート２２２を作成して移動平均線２２４、２２５との比較をすることができる。つまり、２５日間終値移動平均線２２４と７５日間終値移動平均線２２５と、終値線２２３の関係が一目瞭然で判る。従って、前述したゴールデンクロス、デッドクロスの関係が判り易くなるのである。またゴールデンクロス時、デッドクロス時の終値（引値）の位置がどこにあるのかが即判断できるのであり、また、上記の関係とかい離率線２１９、２２０、２２１とを比較して、トレンド（流れ）はどの方向へ行こうとしているのかも判るのであり、また値幅２１３は一日の内で、どれだけの「幅」で値動きが有ったのかを表し且つ２５日間終値移動平均値、７５日間終値移動平均値、２００日間終値移動平均値のかい離率２１４、２１５、２１６も一覧表にしていますので、表２１７とチャート２１８とを参照し、ゴールデンクロスやかい離率を参考にして、ほぼ平均的な値幅の中で「売り」「買い」の指値の見当をつけるためにも判りやすくなっており、チャートの傾きを考しながら総合判断をすることができる。
【００４２】
第５手段は使用者がマウス操作により前記予想値入力ボタン１０９を入り操作することにより未来の特定日の予想株価及び予想出来高についての予想入力画面２３０を表示部に表示するものとなされている。
該予想入力画面２３０はマウス操作及びキーボードのキー操作により未来の特定日の予想株価及び予想出来高を入力するためのもので、次のようなものとなされている。
【００４３】
該予想入力画面２３０の左側部範囲に前記前記チャート化最終日よりも前の特定期間内の日付２３１及び該日付２３１に対応した高値２３２、安値２３３、値幅２３４及び出来高２３５を数字表示した表２３６が表示されており、使用者はスクロールボタン２３７を操作して該表２３６をスクロールすることができ、これにより、値幅２３４の動き、出来高２３５の動きを過去に遡って確認することができ、最近の動きが上昇トレンド、あるいは下降トレンドかを確認するのであり、また日足チャート１８７、ＲＳＩチャート１５６、逆ウオッチチャート１７５などを総合勘案し、直近の値幅２３４の動きを考慮の上、明日はいくら変動するか、いくらの指し値で売るか、買うかを判断するのである。
【００４４】
また該予想入力画面２３０の右側上部範囲に直近の終値表示欄２３８、予想入力欄２３９が表示されており、該予想入力欄２３９には予想指し値欄２４０と予想出来高欄２４１とが配置されている。使用者は、マウス操作及びキーボードのキー操作により株式市場の翌営業日の特定銘柄（銘柄記入欄１０１に記入したもの）の予想指し値を予想指し値欄２４０に、そして予想出来高を予想出来高欄２４１に入力するのである。
【００４５】
そして、該予想入力画面２３０の右側高さ中央範囲には買い値表示欄２４２、買入株数表示欄２４３、購入額表示欄２４４、手数料表示欄２４５及び税金他表示欄２４６が配置されており、また該予想入力画面２３０の右側下部範囲には、予想評価額表示欄２４７及び購入額差表示欄２４８が配置されている。買い値表示欄２４２、買入株数表示欄２４３、購入額表示欄２４４、手数料表示欄２４５及び税金他表示欄２４６には図２に示すデータ入力画面１２０で使用者が入力したものでこれら各欄に対応したものが表示されるようになされ、また予想評価額表示欄２４７には先のデータ入力画面１２０で使用者が入力した買入株数を予想指し値で売ったとしたときの予想評価額が計算されて表示されるのであり、また購入額差は予想評価額欄２４７に表示された予想評価額から手数料及び税金他を減算した額が表示されるようになされている。
【００４６】
予想指し値を予想指し値欄２４０に、そして予想出来高を予想出来高欄２４１に入力した後、使用者はＯＫボタン２４９をマウス操作により入り操作するのであり、これにより先のデータ入力画面１２０で「持ち株情報］（買値、購入株数）を入力していた場合には、予想指し値での評価額を自動的に計算し表示するようになされている。
該予想入力画面２３０上において、２５０はＲＳＩボタンであり、２５１は逆ウオッチボタンである。
【００４７】
第６手段は、使用者により予想入力画面上のＯＫボタンがマウス操作により入り操作されることで、予想入力画面から使用者が入力したデータに基づいて未来の特定日にまで及ぶＲＳＩチャート情報及び逆ウオッチチャート情報を前記第３手段に作成させるものとなされている。
【００４８】
そして、前記予想入力画面２３０上において、使用者がＲＳＩボタン２５０をマウス操作により入り操作することにより、ＲＳＩチャート画面１５０が表示部に表示されるようになされ、また使用者が逆ウオッチボタン２５１をマウス操作により入り操作することにより、逆ウオッチチャート画面１７０が表示部に表示されるようになされており、この際、ＲＳＩチャート画面１５０上のＲＳＩチャート１５６や、逆ウオッチチャート画面１７０上の逆ウオッチチャート１７５は未来の特定日にまで及ぶものとなされるのである。なお図４では未来の特定日における予想指し値や予想データが入力されていないため右端部の３日分はチャート上の日付は表示されているもののＲＳＩ値は図中に表示されていない。
【００４９】
＜Ｂ＞  次に本発明に係る株式投資支援プログラムの第２実施例について説明する。
該実施例の株式投資支援プログラムはコンピュータを第１手段〜第４手段、及び、第７手段〜第９手段までのそれぞれの手段として機能させるものとなされている。
【００５０】
各手段について説明すると、第１手段は上記株式投資支援プログラムの記録されているＣＤなどの記録媒体をパソコンが読み込むことに関連して図１０に示すようなメニュー画面１００をその表示部に表示するものである。
【００５１】
該メニュー画面１００は各処理への分岐とチャート作成期間（チャート化最終日）をコントロールするものであり、次のようなものとなされている。
銘柄記入欄（銘柄コード記入欄及び銘柄名記入欄）１０１及びチャート化最終日入力欄１０２がメニュー画面１００上部に配置され、またデータ取得ボタン２６０、データ入力ボタン１０３、データ表示ボタン２６１、大きいグラフ表示ボタン１０４、１０５、１０６、１０７、１０８、小さいグラフ表示ボタン２６２、２６３、２６４、２６５がメニュー画面１００の最左部縦方向とメニュー画面１００の最上部横方向に配置されて表示されている。
【００５２】
該メニュー画面１００上において、使用者は銘柄記入欄１０１の銘柄名記入欄に株式売買を予定している特定会社名を、そして銘柄コード記入欄に銘柄コードをパソコンの入力装置（キーボード）から入力する。
【００５３】
使用者がチャート化最終日入力欄１０２にキーボードからチャート化最終日を入力した後、各ボタン上にマウスポインタを位置させてマウスをクリックすると、そのボタンに対応した各種チャート画面などが表示部に表示されたり、対応する処理が実行される。この際、メニュー画面１００の最上部のデータボタン２６６はこれをマウス操作により入り操作することでデータ取得ボタン２６０、データ入力ボタン１０３及びデータ表示ボタン２６１が表示され、これらのうちの任意なボタンをマウス操作で択一的に入り操作することにより、それぞれの対応する処理が実行される。
【００５４】
表示部に表示されたメニュー画面１００の印刷や拡大縮小はツールバー２６７をマウス操作することにより行われるのであり、他の画面の印刷や拡大縮小においても同様である。
終了ボタン１１３はマウスによる入り操作によりプログラムを終了させるものであり、他の画面においても同様である。
【００５５】
第７手段は、使用者がマウス操作により前記データ取得ボタン２６０を入り操作することにより、インターネット上から特定会社の日単位の始値、高値、安値、終値及び出来高などについての最新の株価情報を自動的に取得してパソコンの記憶部に記憶するものである。このデータ取得によりチャート化最終日入力欄１０２のチャート化最終日は自動的に情報取得当日の日付に変更される。
この際、状況によってはインターネット上から取得できない場合もあるのであり、その場合、取得できない旨メッセージがメニュー画面１００上の特定個所に自動的に表示される。数回、データ取得処理を実行しても取得できない場合は、後述するように、図１１に示すデータ入力／表示画面２７０上から行う。また正常に取得できた場合には、データ入力／表示画面２７０が自動的に表示部に表示されるようになされている。
【００５６】
第２手段は使用者がマウス操作により前記データ入力ボタン１０３を入り操作することにより第１実施例の図２に示すデータ入力画面と同一なものとなされたデータ入力画面１２０を表示部に表示するものである。
【００５７】
第８手段は、使用者がマウス操作により前記データ表示ボタン２６１を入り操作することにより或いはデータ入力画面１００上のＯＫボタン１３８又はデータ表示ボタン１３９をマウス操作により入り操作することにより、前記第７手段により取得されたデータ、及び、前記第２手段のデータ入力画面１２０から使用者によるマウス操作及びキーボードのキー操作により入力されたデータについての図１１に示すデータ入力／表示画面２７０を表示部に表示するほか、表示されたータ入力／表示画面２７０上のデータの修正のための使用者による入力や、未来の特定日の予想データの追加のための使用者による入力が行えるものとなされている。
【００５８】
データ入力／表示画面２７０は次のようなものとなされている。日表示欄１４２、始値表示欄１４３、高値表示欄１４４、安値表示欄１４５、終値表示欄１４６及び出来高表示欄１４７が第１実施例の場合と同様に配置されているほか、日付ごとの前日比（終値での当日値と前日値との差値）の表示欄２７１、前日比パーセント値（終値での当日値と前日値との差値の前日終値に対する率）の表示欄２７２、実体値（当日の始値から終値を減じたもの）の表示欄２７３、上ひげ値（当日のローソク足の上ひげの長さに対応した値幅）の表示欄２７４、下ひげ値（当日のローソク足の下ひげの長さに対応した値幅）の表示欄２７５、ＲＳＩ値表示欄２７６、２５日間終値移動平均値に対するかい離率パーセント値表示欄２７８、７５日間終値移動平均値に対するかい離率パーセント値表示欄２７９及び２００日間終値移動平均値に対するかい離率パーセント値表示欄２８０が配置されている。
【００５９】
未来の日付の予想値を入力する場合や、株式市場の前場後にデータを入力する場合、また当日であっても２０時以前の場合には、該データ入力／表示画面２７０から直接に入力することができるようになされている。ここでの入力は使用者によるマウス操作や、キーボードのキー操作により行われる。
【００６０】
該データ入力／表示画面２７０にはＲＳＩ以降再計算ボタン２８１が表示されており、該ボタン２８１は該データ入力／表示画面２７０からデータを入力したときに該入力後に、使用者がマウス操作により入り操作するものであり、この入り操作により必要な演算が直前に入力された最新のデータなどに基づいて実行される。
【００６１】
第３手段は、前記第７手段及び前記該第２手段及び前記第８手段により使用者の入力したデータに基づいて前記チャート化最終日までの、ＲＳＩチャート情報、逆ウオッチチャート情報、日足チャート及びＭＡＣＤチャート情報、週足チャート及びＭＡＣＤチャート情報、終値＆かい離率チャート情報、及びＲＳＩシミュレーション情報を作成し且つこのように作成された情報をパソコンの記憶部に記憶させるものとなされている。
【００６２】
第４手段は、使用者のマウス操作による前記グラフ表示ボタン１０４、１０５、１０６、１０７、１０８、２６２、２６３、２６４、２６５の入り操作により該第３手段の作成した情報であるＲＳＩチャート情報、逆ウオッチチャート情報、日足チャート情報、日足用ＭＡＣＤチャート情報、週足チャート情報、週足用ＭＡＣＤチャート情報、及び、終値＆かい離率チャート情報に基づいて、ＲＳＩチャート画面、逆ウオッチチャート画面、日足チャート画面、日足用ＭＡＣＤチャート画面、週足チャート画面、週足用ＭＡＣＤチャート画面、及び、終値＆かい離率チャート画面のうちの任意なものを表示部に表示するものである。
【００６３】
グラフ表示ボタン１０４、１０５、１０６、１０７、１０８、２６２、２６３、２６４、２６５は、図１０のメニュー画面１００に示すように、ＲＳＩチャート表示ボタン１０４、逆ウオッチチャート表示ボタン１０５、日足チャート表示ボタン１０６、日足用ＭＡＣＤ（５日・２０日）チャート表示ボタン２６２、日足用ＭＡＣＤ（１２日・２６日）チャート表示ボタン２６３、週足チャート表示ボタン１０７、週足用ＭＡＣＤ（５週・２０）チャート表示ボタン２６４、週足用ＭＡＣＤ（１２週・２６週）チャート表示ボタン２６５、及び、終値＆かい離率チャート表示ボタン１０８からなる９つのボタンからなっている。
【００６４】
ここに、ＭＡＣＤ（５日・２０日）は５日短期指数移動平均と２０日長期指数移動平均とで求めたＭＡＣＤ値を意味し、ＭＡＣＤ（１２日・２６日）は１２日短期指数移動平均と２６日長期指数移動平均とで求めたＭＡＣＤ値を意味し、ＭＡＣＤ（５週・２０週）は５週短期指数移動平均と２０週長期指数移動平均とで求めたＭＡＣＤ値を意味し、ＭＡＣＤ（１２週・２６週）は１２週短期指数移動平均と２６週長期指数移動平均とで求めたＭＡＣＤ値を意味するものであり、以後も同様である。
【００６５】
そして、使用者がマウス操作によりＲＳＩチャート表示ボタン１０４を入り操作することにより、表示部に図４に示すものと同一のＲＳＩチャート画面１５０が表示されるようになされている。
【００６６】
また使用者がマウス操作により逆ウオッチチャート表示ボタン１０５を入り操作することにより、表示部に図５に示すものと同一の逆ウオッチチャート画面１７０が表示されるようになされている。
【００６７】
また使用者がマウス操作により日足チャート表示ボタン１０６を入り操作することにより、表示部に図１２に示すような日足チャート画面２９０が表示されるようになされている。
【００６８】
該日足チャート画面２９０は次のようなものとなされている。即ち、該チャート画面２９０の左側部範囲に前記前記チャート化最終日よりも前の特定期間内の日付２９１及び該日付２９１に対応した始値２９２、高値２９３、安値２９４及び終値２９５を数字表示した表２９６が表示されており、右部範囲に日足チャート（横軸が日付、縦軸が株価を表している）２９７が表示されており、これらについての内容は第１実施例の図６に示すものと実質的に同一である。また日足チャート２９７の下側には出来高チャート（横軸が日付、縦軸が出来高を表している）２９８が表示されており、この際、出来高チャート２９８の横軸及び縦軸の目盛り（レンジ）はそれぞれに対応する数値情報の最大値、最小値を基に自動で変化するようになされている。該出来高チャート２９８は日足チャート２９７と同期間の出来高を棒グラフで表示しており、グラフ目盛りは自動で設定される。
【００６９】
また使用者がマウス操作により日足用ＭＡＣＤ（５日・２０日）チャート表示ボタン２６２を入り操作することにより、表示部に図１３に示すような日足チャート＆ＭＡＣＤ（５日・２０日）チャート画面３００が表示されるようになされている。
【００７０】
該日足チャート＆ＭＡＣＤ（５日・２０日）チャート画面３００は次のようなものとなされている。即ち、第１実施例の図６に示す日足チャート画面１８０の内容に加えて日足チャート２９７の下側にＭＡＣＤ（５日・２０日）チャート３０１が表示されている。日足チャート２９７には日別のローソク足チャートにＥＭＡ短期（５日間終値移動平均線）３０２、ＥＭＡ長期（２０日間終値移動平均線）３０３を重ねて表示している。またＭＡＣＤ（５日・２０日）チャート３０１は目足チャート２９７と同期間のＭＡＣＤ値線３０４及びＳｉｇｎａｌ値線３０５を表示したもの３０６と、日足チャート２９７と同期間の「ＭＡＣＤ値とＳｉｇｎａｌ値との差値を棒グラフ３０７で表示したもの３０８からなっている。各チャート２９７、３０６、３０８のグラフ目盛りは自動で設定される。
【００７１】
また使用者がマウス操作により日足用ＭＡＣＤ（１２日・２６日）チャート表示ボタン２６３を入り操作することにより、表示部に図１３に示すとほぼ同様な日足チャート＆ＭＡＣＤ（１２日・２６日）チャート画面が表示されるようになされている。この場合は、図１３に示す日足チャート２９７が日別のローソク足チャートにＥＭＡ短期（１２日間終値移動平均線）、ＥＭＡ長期（２６日間終値移動平均線）を重ねて表示したものとなされ、また図１３に示すＭＡＣＤ（５日・２０日）チャート３０１に代えてＭＡＣＤ（１２日・２６日）チャートが表示される。
【００７２】
上記した日足チャート＆ＭＡＣＤ（５日・２０日）チャート画面や日足チャート＆ＭＡＣＤ（１２日・２６日）チャート画面では、ＭＡＣＤ値線を直線に置き換えて、シグナル値線での「山、谷」を表現した値を「棒グラフ」にして表しているので「天」を打った、「底」を打った、ということがはっきり判る。この際、原点以下（マイナス領域）での棒グラフの最大が「底値」であり、原点以上（プラス領域）での棒グラフの最大が「天」である。
従って、棒グラフが底を打ってマイナス領域で上昇に転じた（棒グラフが短くなって来た）と感じられたら「買い」という事になる。ここで信用倍率や貸借倍率の数値を参酌すると、さらに予想が行い易くなる。
【００７３】
日足チャート＆ＭＡＣＤ（５日・２０日）チャート画面３００におけるＭＡＣＤ（５日・２０日）は短期売買での予測に適しており、一方、日足チャート＆ＭＡＣＤ（１２日・２６日）チャート画面のＭＡＣＤ（１２日・２６日）チャートは中期売買での予測に適している。
【００７４】
また使用者がマウス操作により週足チャート表示ボタン１０７を入り操作することにより、表示部に図１４に示すような週足チャート画面３１０が表示されるようになされている。
【００７５】
該週足チャート画面３１０は次のようなものとなされている。即ち、該チャート画面３１０の左側部範囲に前記前記チャート化最終日よりも前の特定期間内の週ごとの日付３１１及び該週３１１に対応した始値３１２、高値３１３、安値３１４及び終値３１５を数字表示した表３１６が表示されており、右部範囲に週足チャート（横軸が日付、縦軸が株価を表している）３１７が表示されており、これらについての内容は第１実施例の図に示すものと実質的に同一である。また週足チャート３１７の下側には出来高チャート（横軸が日付、縦軸が出来高を表している）３１８が表示されており、この際、出来高チャート３１８の横軸及び縦軸の目盛り（レンジ）はそれぞれに対応する数値情報の最大値、最小値を基に自動で変化するようになされている。該出来高チャート３１８は週足チャート３１７と同期間の週ごとの出来高を棒グラフ３１９で表示しており、グラフ目盛りは自動で設定される。
【００７６】
また使用者がマウス操作により週足用ＭＡＣＤ（５週・２０週）チャート表示ボタン２６４を入り操作することにより、表示部に図１５に示すような週足チャート＆ＭＡＣＤ（５週・２０週）チャート画面３２０が表示されるようになされている。
【００７７】
該週足チャート＆ＭＡＣＤ（５週・２０週）チャート画面３２０は次のようなものとなされている。即ち、第１実施例の図７に示す週足チャート画面２００の内容に加えて、週足チャート３２１の下側にＭＡＣＤ（５週・２０週）チャート３２２が表示されている。週足チャート３２１には週別のローソク足チャートにＥＭＡ短期（５週間終値移動平均線）３２３、ＥＭＡ長期（２０週間終値移動平均線）３２４を重ねて表示している。またＭＡＣＤ（５週・２０週）チャート３２２は週足チャート３２１と同期間のＭＡＣＤ値線３２５及びＳｉｇｎａｌ値線３２６を表示したもの３２７と、週足チャート３２１と同期間の「ＭＡＣＤ値とＳｉｇｎａｌ値との差値を棒グラフ３２８で表示したもの３２９からなっている。各チャート３２１、３２７、３２９のグラフ目盛りは自動で設定される。
【００７８】
また使用者がマウス操作により週足用ＭＡＣＤ（１２週・２６週）チャート表示ボタン２６５を入り操作することにより、表示部に図１５に示すとほぼ同様な週足チャート＆ＭＡＣＤ（１２週・２６週）チャート画面が表示されるようになされている。この場合は、図１５に示す週足チャート３２１が週別のローソク足チャートにＥＭＡ短期（１２週間終値移動平均線）、ＥＭＡ長期（２６週間終値移動平均線）を重ねて表示したものとなされ、また図１５に示すＭＡＣＤ（５週・２０週）チャート３２２に代えてＭＡＣＤ（１２週・２６週）チャートが表示される。
【００７９】
上記した週足チャート＆ＭＡＣＤ（５週・２０週）チャート画面３２０や週足チャート＆ＭＡＣＤ（１２週・２６週）チャート画面は、日足チャート＆ＭＡＣＤ（５日・２０日）チャート画面１４や日足チャート＆ＭＡＣＤ（１２日・２６日）チャート画面に準じて活用される。
【００８０】
また使用者がマウス操作により終値＆かい離率チャート表示ボタン１０８を入り操作することにより、表示部に第１実施例の図１１に示すものと同一の終値＆かい離率チャート画面２１０が表示されるようになされており、使用者により同様に利用される。
【００８１】
第９手段は、使用者がマウス操作により図１０に示すメニュー画面１００に表示されたＲＳＩシミュレーションボタン３３０を入り操作することにより該第３手段の作成したＲＳＩシミュレーション情報に基づいて、図１６に示すように翌営業日の終値を一定範囲内で変化させたときのＲＳＩのシミュレーション値画面３４０を表示部に表示するものとなされている。
【００８２】
ＲＳＩのシミュレーション値画面３４０は次のようなものとなされるのであって、即ち、図１６に示すように、該シミュレーション値画面３４０の左側部範囲に第１実施例の図４に示すチャート画面１５０の場合と同様に日付３４１、ＲＳＩ値３４２、及び、かい離率パーセント値３４３を示す表３４５が表示され、また該表３４５の右側には翌営業日の終値３４６を変化させた場合のＲＳＩ及びかい離率パーセントのシミュレーション値３４７を表示した表３４８が表示されるのであり、また翌営業日の終値３４６を変化させるときの変化量の単位幅の入力個所３４９に単位幅をマウス操作及びキーボードのキー操作により入力して、該画面３４０上の単位変更ボタン３５０をマウス操作により入り操作することにより、指定した単位幅（図１６では「±１０」とされている）で終値３４６を変化させたときの前記シミュレーション値３４７が表示されるものとなされている。
上記単位変更は一時的な変更であり、単位変更した後に一旦該シミュレーション値画面３４０を終了し、再度該シミュレーション値画面３４０を表示させた場合、元の単位幅に戻るようになされている。
【００８３】
該シミュレーション値画面３４０は、今日或いは昨日のデータを基点として、いくら上がったら、また、いくら下がったらＲＳＩが何パーセントになるのかを自動計算しシュミレーションしたものであり、２５日間終値移動平均値のかい離率３５１、７５日日間終値移動平均値のかい離率３５２、２００日日間終値移動平均値のかい離率３５３も同時に表している。
【００８４】
該シミュレーション値３４７は、昨日または今日の日付の終値、ＲＳＩ、かい離率を参考にして、今日あるいは明日の上がり値（下がり値）を予測し計算したものであり、例えば、１０円上がった場合のＲＳ１のパーセンテージ、その時のかい離率の値が確認できる。
【００８５】
また使用者は左側の表３４５を参考にし、今までの推移（流れ）を掴む事ができるのであり、ＲＳＩシュミレーション値３４７を活用し、いくらで「買う」か、いくらで「売る」かを検討するのである。
【００８６】
上記各実施例において、コンピュータを、使用者による表示指令の入力により表示部に表示される株価関連情報の読み方についての説明画面を表示部に表示する第１０手段として機能させるものとなすのがよい。
即ち、表示部の各種画面上に表示された株価関連情報に係る相場の読み方の説明情報を含むプログラムとなしてあって、パソコンなどに読み込まれた後には該説明情報が表示部に表示された任意な画面上からマウス操作により表示部に呼び出せ、該説明を読めば、他から情報を得ることなく本発明品を有効に使用できるものとなされている。
【図面の簡単な説明】
【００８７】
【図１】本発明に係る第１実施例の株式投資支援プログラムによりパソコンの表示部に表示させたメニュー画面を示す図である。
【図２】前記表示部に表示させたデータ入力画面を示す図である。
【図３】前記表示部に表示させたデータ入力／表示画面を示す図である。
【図４】前記表示部に表示させたＲＳＩチャート画面を示す図である。
【図５】前記表示部に表示させた逆ウオッチチャート画面を示す図である。
【図６】前記表示部に表示させた日足チャート画面を示す図である。
【図７】前記表示部に表示させた週足チャート画面を示す図である。
【図８】前記表示部に表示させた終値＆かい離率チャート画面を示す図である。
【図９】前記表示部に表示させた予想入力画面を示す図である。
【図１０】本発明に係る第２実施例の株式投資支援プログラムによりパソコンの表示部に表示させたメニュー画面を示す図である。
【図１１】第２実施例に係り、前記表示部に表示させたデータ入力／表示画面を示す図である。
【図１２】第２実施例に係り、前記表示部に表示させた日足チャート画面を示す図である。
【図１３】第２実施例に係り、前記表示部に表示させた日足チャート＆ＭＡＣＤ画面を示す図である。
【図１４】第２実施例に係り、前記表示部に表示させた週足チャート画面を示す図である。
【図１５】第２実施例に係り、前記表示部に表示させた週足チャート＆ＭＡＣＤ画面を示す図である。
【図１６】第２実施例に係り、前記表示部に表示させたシミュレーション値画面を示す図である。
【符号の説明】
【００８８】
１００  メニュー画面
１０１  銘柄記入欄
１０２  チャート化最終日入力欄
１０３  データ入力ボタン
１０４  グラフ表示ボタン
１０５  グラフ表示ボタン
１０６  グラフ表示ボタン
１０７  グラフ表示ボタン
１０８  グラフ表示ボタン
１０９  予想値入力ボタン
１２０  データ入力画面
１５０  ＲＳＩチャート画面
１７０  逆ウオッチチャート画面
１８０  日足チャート画面
２００  週足チャート画面
２１０  終値＆かい離率チャート画面
２３０  データ入力画面
２６０  データ取得ボタン
２６１  データ表示ボタン
２９０  日足チャート画面
３００  日足チャート及びＭＡＣＤチャート画面
３１０  週足チャート画面
３２０  週足チャート及びＭＡＣＤチャート画面
３３０  ＲＳＩシミュレーションボタン
３４０  ＲＳＩのシミュレーション値画面
【図１】
2005141354.tif 000003
【図２】
2005141354.tif 000004
【図３】
2005141354.tif 000005
【図４】
2005141354.tif 000006
【図５】
2005141354.tif 000007
【図６】
2005141354.tif 000008
【図７】
2005141354.tif 000009
【図８】
2005141354.tif 000010
【図９】
2005141354.tif 000011
【図１０】
2005141354.tif 000012
【図１１】
2005141354.tif 000013
【図１２】
2005141354.tif 000014
【図１３】
2005141354.tif 000015
【図１４】
2005141354.tif 000016
【図１５】
2005141354.tif 000017
【図１６】
2005141354.tif 000018
【手続補正書】
【提出日】平成15年11月26日(2003.11.26)
【手続補正１】
【補正対象書類名】図面
【補正対象項目名】全図
【補正方法】変更
【補正の内容】
【図１】
2005141354.tif 000019
【図２】
2005141354.tif 000020
【図３】
2005141354.tif 000021
【図４】
2005141354.tif 000022
【図５】
2005141354.tif 000023
【図６】
2005141354.tif 000024
【図７】
2005141354.tif 000025
【図８】
2005141354.tif 000026
【図９】
2005141354.tif 000027
【図１０】
2005141354.tif 000028
【図１１】
2005141354.tif 000029
【図１２】
2005141354.tif 000030
【図１３】
2005141354.tif 000031
【図１４】
2005141354.tif 000032
【図１５】
2005141354.tif 000033
【図１６】
2005141354.tif 000034